(57)【要約】【課題】画像表示装置の表示装置に表示される商品の寸法や色が実際の寸法、色と略等しくなるようにする。【解決手段】画像配信装置は、第１の端末から商品の画像を含む画像情報を取得し、その中から商品とは別の基準物の画像を認識し、商品と基準物の画像を比較し基準物の実際の寸法情報、色情報から商品の実際の寸法情報、色情報を計算する。また、画像配信装置は、画像表示装置の表示装置の表示特性情報を取得し、商品の画像を表示装置に表示させたとき商品の画像が略実際の寸法、色で表示されるように画像を変換し、商品の画像情報を画像表示装置へ送信する。【選択図】図３
2010239582.tif 000002
【特許請求の範囲】
【請求項１】
画像配信装置、画像配信方法、画像表示装置および画像表示方法
ネットワークを介して接続された第１の端末から商品の画像を含む画像情報を取得する画像情報取得手段と、
前記画像情報の中から前記商品とは別の基準物の画像を認識する基準物認識手段と、
前記基準物の実際の寸法情報と実際の色情報を記憶する基準物情報記憶手段と、
前記画像情報の中の前記商品の画像と前記基準物の画像を比較し前記基準物の実際の寸法情報によって前記商品の実際の寸法情報を計算する寸法情報計算手段と、
前記画像情報の中の前記商品の画像と前記基準物の画像を比較し前記基準物の実際の色情報によって前記商品の実際の色情報を計算する色情報計算手段と、
前記商品の実際の寸法情報と前記商品の実際の色情報を記憶する商品情報記憶手段と、
ネットワークを介して接続された第２の端末に、前記商品の実際の寸法情報と前記商品の実際の色情報を送信する送受信手段と
を有することを特徴とする画像配信装置。
【請求項２】
ネットワークを介して接続された第１の端末から商品の画像を含む画像情報を取得する画像情報取得手段と、
前記画像情報の中から前記商品とは別の基準物の画像を認識する基準物認識手段と、
前記基準物の実際の寸法情報と実際の色情報を記憶する基準物情報記憶手段と、
前記画像情報の中の前記商品の画像と前記基準物の画像を比較し前記基準物の実際の寸法情報によって前記商品の実際の寸法情報を計算する寸法情報計算手段と、
前記画像情報の中の前記商品の画像と前記基準物の画像を比較し前記基準物の実際の色情報によって前記商品の実際の色情報を計算する色情報計算手段と、
前記商品の実際の寸法情報と前記商品の実際の色情報を記憶する商品情報記憶手段と、
ネットワークを介して接続された第２の端末から、前記第２の端末の表示装置の表示特性情報を取得する表示特性情報取得手段と、
前記表示特性情報に基づいて前記商品の画像を前記表示装置に表示させたとき前記商品の画像が略実際の寸法で表示されるように画像を変換する寸法変換手段と、
前記表示特性情報に基づいて前記商品の画像を前記表示装置に表示させたとき前記商品の画像が略実際の色で表示されるように画像を変換する色変換手段と、
前記寸法変換手段と前記色変換手段によって変換された前記商品の画像情報を前記第２の端末へ送信する送受信手段と、
を有することを特徴とする画像配信装置。
【請求項３】
ネットワークを介して接続された第１の端末から商品の画像を含む画像情報を取得する画像情報取得ステップと、
前記画像情報の中から前記商品とは別の基準物の画像を認識する基準物認識ステップと、
前記基準物の実際の寸法情報と実際の色情報を記憶する基準物情報記憶ステップと、
前記画像情報の中の前記商品の画像と前記基準物の画像を比較し前記基準物の実際の寸法情報によって前記商品の実際の寸法情報を計算する寸法情報計算ステップと、
前記画像情報の中の前記商品の画像と前記基準物の画像を比較し前記基準物の実際の色情報によって前記商品の実際の色情報を計算する色情報計算ステップと、
前記商品の実際の寸法情報と前記商品の実際の色情報を記憶する商品情報記憶ステップと、
ネットワークを介して接続された第２の端末に、前記商品の実際の寸法情報と前記商品の実際の色情報を送信する送信ステップと
を有することを特徴とする画像配信方法。
【請求項４】
ネットワークを介して接続された第１の端末から商品の画像を含む画像情報を取得する画像情報取得ステップと、
前記画像情報の中から前記商品とは別の基準物の画像を認識する基準物認識ステップと、
前記基準物の実際の寸法情報と実際の色情報を記憶する基準物情報記憶ステップと、
前記画像情報の中の前記商品の画像と前記基準物の画像を比較し前記基準物の実際の寸法情報によって前記商品の実際の寸法情報を計算する寸法情報計算ステップと、
前記画像情報の中の前記商品の画像と前記基準物の画像を比較し前記基準物の実際の色情報によって前記商品の実際の色情報を計算する色情報計算ステップと、
前記商品の実際の寸法情報と前記商品の実際の色情報を記憶する商品情報記憶ステップと、
ネットワークを介して接続された第２の端末から、前記第２の端末の表示装置の表示特性情報を取得する表示特性情報取得ステップと、
前記表示特性情報に基づいて前記商品の画像を前記表示装置に表示させたとき前記商品の画像が略実際の寸法で表示されるように画像を変換する寸法変換ステップと、
前記表示特性情報に基づいて前記商品の画像を前記表示装置に表示させたとき前記商品の画像が略実際の色で表示されるように画像を変換する色変換ステップと、
前記寸法変換ステップと前記色変換ステップによって変換された前記商品の画像情報を前記第２の端末へ送信する送信ステップと
を有することを特徴とする画像配信方法。
【請求項５】
表示装置の表示特性情報を記憶する表示特性記憶手段と、
ネットワークを介して接続された画像配信装置に商品の画像を要求する際、前記表示特性情報を前記画像配信装置に送信する画像要求手段と、
前記画像配信装置から前記商品の画像の画像情報を取得する画像取得手段と
を備え、
前記画像は、前記画像の１ピクセルを前記表示装置の画面の１ドットに対応させて表示させたとき前記商品が略実際の寸法で表示されることを特徴とする画像表示装置。
【請求項６】
前記表示特性情報は、該画像表示装置の型式または機種名称であることを特徴とする請求項５記載の画像表示装置。
【請求項７】
ネットワークを介して接続された画像配信装置に商品の画像を要求する際、表示装置の表示特性情報を前記画像配信装置に送信する画像要求ステップと、
前記画像配信装置から前記商品の画像を取得する画像取得ステップと
を備え、
前記画像は、前記画像の１ピクセルを前記表示装置の画面の１ドットに対応させて表示させたとき前記商品が略実際の寸法で表示されることを特徴とする画像表示方法。
【発明の詳細な説明】
【技術分野】
【０００１】
本発明は、ネットワークを介して情報閲覧者に配信される画像の寸法あるいは色を良好に表示する画像配信装置、画像配信方法、画像表示装置および画像表示方法に関する。
【背景技術】
【０００２】
近年、インターネットを利用した取引が急速に拡大かつ多様化しつつある。また、インターネットオークション市場も拡大している。インターネットオークションに掲載された商品を閲覧または購入しようとする利用者は、ネットワークに接続されたＰＣ（パーソナルコンピュータ）やデジタルテレビジョン等を用いて管理者側のサーバコンピュータに接続し、商品に関する情報をサーバコンピュータから取得して、利用者のＰＣのモニタやデジタルテレビジョンの画面上に表示させる。そして、利用者は、表示された商品が気に入ればその商品をインターネットを介して注文することができる。
【０００３】
利用者が、モニタや画面上に表示された商品を閲覧するとき、商品の実際の寸法とは異なる寸法で表示されるために商品のイメージが異なってしまう場合がある。利用者が実際に商品を手にしたときに、思い描いていた商品のイメージと異なり残念に思う虞がある。
【０００４】
このような問題を解決する方法として、商品の画像情報及びその商品の原寸に関する情報であるサイズ係数αを記録したＣＤ−ＲＯＭと、ＣＤ−ＲＯＭから画像情報及びサイズ係数αを読み出すＭＰＵと、読み出された画像情報をその表示画面に表示するモニタと、モニタの表示画面のインチ数を入力する入力装置と、読み出された画像情報を、サイズ係数αと入力装置により入力されたモニタのインチ数とに従って、モニタの画面上での絶対的な大きさが原寸となるように拡大・縮小する拡大・縮小回路とを備えた電子カタログシステムが提案されている。（例えば特許文献１参照。）
【先行技術文献】
【特許文献】
【０００５】
【特許文献１】特開平９−６９４４号公報
【発明の概要】
【発明が解決しようとする課題】
【０００６】
近年では画面の大きさが３２型以上の比較的大画面のデジタルテレビジョンが普及しており、このような比較的大画面のテレビジョンセットの画面においては、インターネットオークションの対象となる商品を画面上に原寸で表示することも可能である。
【０００７】
特許文献１においては、ＣＤ−ＲＯＭに個々の商品の画像データそれぞれの実際のサイズに関するデータ（サイズ計数α）が記録されている。しかしながら、インターネットオークションにおいては、多くの場合、物品のサイズに関するデータについては、画像データと関連づけられた情報として登録されない。したがって利用者のモニタやテレビジョンの画面上での絶対的な大きさが原寸となるように拡大・縮小することは容易ではない。
【０００８】
物品の画像を略実際の寸法で表示することができれば、商品を閲覧または購入しようとする利用者は、たいへん便利であり、購入の判断の助けとなる。また、物品の色についても略実際の色で表示することができれば、後でユーザが実際に商品を手にしたときに、思い描いていた商品のイメージと異なる虞が少なくなる。
【０００９】
本発明は上記したような事情に鑑み成されたものであって、利用者の表示装置に表示される商品の寸法が商品の実際の寸法と略等しくなるようにし、また、利用者の表示装置に表示される商品の色が商品の実際の色と略等しくなるようにすることができる画像配信装置、画像配信方法、画像表示装置および画像表示方法を提供することを目的とする。
【課題を解決するための手段】
【００１０】
上記目的を達成するために、本発明の画像配信装置は、ネットワークを介して接続された第１の端末から商品の画像を含む画像情報を取得する画像情報取得手段と、前記画像情報の中から前記商品とは別の基準物の画像を認識する基準物認識手段と、前記基準物の実際の寸法情報と実際の色情報を記憶する基準物情報記憶手段と、前記画像情報の中の前記商品の画像と前記基準物の画像を比較し前記基準物の実際の寸法情報によって前記商品の実際の寸法情報を計算する寸法情報計算手段と、前記画像情報の中の前記商品の画像と前記基準物の画像を比較し前記基準物の実際の色情報によって前記商品の実際の色情報を計算する色情報計算手段と、前記商品の実際の寸法情報と前記商品の実際の色情報を記憶する商品情報記憶手段と、ネットワークを介して接続された第２の端末に、前記商品の実際の寸法情報と前記商品の実際の色情報を送信する送受信手段とを有することを特徴とする。
【００１１】
また、本発明の画像配信方法は、ネットワークを介して接続された第１の端末から商品の画像を含む画像情報を取得する画像情報取得ステップと、前記画像情報の中から前記商品とは別の基準物の画像を認識する基準物認識ステップと、前記基準物の実際の寸法情報と実際の色情報を記憶する基準物情報記憶ステップと、前記画像情報の中の前記商品の画像と前記基準物の画像を比較し前記基準物の実際の寸法情報によって前記商品の実際の寸法情報を計算する寸法情報計算ステップと、前記画像情報の中の前記商品の画像と前記基準物の画像を比較し前記基準物の実際の色情報によって前記商品の実際の色情報を計算する色情報計算ステップと、前記商品の実際の寸法情報と前記商品の実際の色情報を記憶する商品情報記憶ステップと、ネットワークを介して接続された第２の端末に、前記商品の実際の寸法情報と前記商品の実際の色情報を送信する送信ステップとを有することを特徴とする。
【００１２】
また、本発明の画像表示装置は、表示装置の表示特性情報を記憶する表示特性記憶手段と、ネットワークを介して接続された画像配信装置に商品の画像を要求する際、前記表示特性情報を前記画像配信装置に送信する画像要求手段と、前記画像配信装置から前記商品の画像の画像情報を取得する画像取得手段とを備え、前記画像情報は、前記画像の１ピクセルを前記表示装置の画面の１ドットに対応させて表示させたとき前記商品が略実際の寸法で表示されることを特徴とする。
【００１３】
また、本発明の画像表示方法は、ネットワークを介して接続された画像配信装置に商品の画像を要求する際、表示装置の表示特性情報を前記画像配信装置に送信する画像要求ステップと、前記画像配信装置から前記商品の画像を取得する画像取得ステップとを備え、前記画像は、前記画像の１ピクセルを前記表示装置の画面の１ドットに対応させて表示させたとき前記商品が略実際の寸法で表示されることを特徴とする。
【発明の効果】
【００１４】
本発明によれば、利用者の表示装置に表示される商品の寸法が商品の実際の寸法と略等しくなるようにし、また、利用者の表示装置に表示される商品の色が商品の実際の色と略等しくなるようにすることができる。
【図面の簡単な説明】
【００１５】
【図１】本発明による画像配信システム１の全体の概要を示すブロック図。
【図２】画像配信装置の構成を示すブロック図。
【図３】画像配信装置の機能を示すブロック図。
【図４】画像情報の画像の例を示す図。
【図５】画像配信装置の動作のフローチャート。
【図６】画像表示装置の実施例の構成を示すブロック図。
【図７】画像表示装置と画像配信装置との間の動作のフローチャート。
【図８】画像表示装置と画像配信装置との間の通信内容の例を示す図。
【発明を実施するための形態】
【００１６】
以下本発明の実施例について図面を参照しながら説明する。図１は、本発明による画像配信装置２および画像表示装置４を含む画像配信システム１の全体の概要を示すブロック図である。商品の出品者は商品の画像をデジタルカメラ等で撮影し、画像情報６として商品に関する情報と共に第１の端末である出品者端末３からインターネット５を介して接続された画像配信装置２へ送信する。画像配信装置２は、送受信部を介してインターネット５に接続され、第１の端末から商品の画像を含む画像情報６を取得する。
【００１７】
入札希望者は、インターネット５を介して画像配信装置２に接続された第２の端末である入札希望者端末（画像表示装置４）を使って画像配信装置２にアクセスし、画像配信装置２に所望の商品の画像情報７を含む商品に関する情報を要求し、それを画像配信装置２から取得する。第２の端末（画像表示装置４）は、画像配信装置２に商品の画像を要求する際、表示特性情報８を画像配信装置２に送信する。
【００１８】
画像配信装置２は、インターネット５を介して接続された画像表示装置４からの要求に応じて画像情報７を配信する。画像情報７は、画像情報６の画像が画像表示装置４の画面に表示される際、商品の寸法が商品の実際の寸法と略等しくなるようにし、また、商品の色が商品の実際の色と略等しくなるように変換された画像情報となっている。
【００１９】
図２は、画像配信装置２の構成を示すブロック図である。ＣＰＵ（Central Processing Unit）１０は、画像配信装置２を統括的に制御する。ＲＡＭ（Random Access Memory）１１は、ＣＰＵ１０のデータ処理に必要な各種データを格納し、各種動作のワーキングメモリとして動作する。ＲＯＭ（Read Only Memory）１２は読出し専用メモリであり、ＣＰＵ１０が実行する制御のプログラムなどを格納している。フラッシュメモリ１３は、電源を切ってもデータが消えない書き換え可能な不揮発性の半導体メモリである。
【００２０】
送受信制御部１４は外部のネットワークに接続されてデータの送信、受信を行う。映像処理部１５は画像配信装置２の本体内部または外部に備えられた表示装置１６に画像や画像配信装置２の動作状況を表示するための信号処理を行う。音声処理部１７は、画像配信装置２の本体内部または外部に備えられたスピーカ１８に音声信号を送出するための信号処理を行う。
【００２１】
操作受信部１９は、マウス、キーボード等の操作部２０から送信される操作信号を受信し、ＣＰＵ１１に転送する。ＨＤＤ（Hard Disk Drive）２１は記憶容量の比較的大きなデータ記憶装置であり、画像情報および商品に関する情報を蓄積する。外部インターフェース２２は外部記憶装置２３とのインターフェースの機能を有し、ＨＤＤ２１を補完して画像情報および商品に関する情報を蓄積する。
【００２２】
図３は、画像配信装置２の機能を示すブロック図である。画像情報６を取得してから商品の実際の大きさを算出して保存するまでの機能、また、略実際の大きさおよび略実際の色が表示されるように配信先の画像表示装置４に合わせて変換して画像情報７を配信する機能を有する。
【００２３】
送受信手段２４は、画像配信装置２の外部のネットワーク（インターネット５）との情報の受信または送信を行う機能を有する。送受信手段２４は、出品者端末３からの受信要求を受けて画像情報６を受信し、また、入札希望者端末（画像表示装置４）からの配信要求を受けて、後述する寸法換算値と色補正値によって変換された商品の画像情報７を配信する。
【００２４】
画像取得手段２５は、送受信手段２４で受信した商品の画像を含む画像情報６を取得する。画像取得手段２５によって画像情報６は、一旦ＲＡＭ１１に保存される。
【００２５】
基準物認識手段２６は、画像情報６の中から商品とは別の基準物の画像を認識する機能を有する。商品の出品者は商品の画像をデジタルカメラ等で撮影する際、商品と一緒に所定の基準物を画像の一部に含める。基準物とは、全国で比較的広範囲に一定期間同じ包装状態で販売されている製品であって、例えば、たばこ、Ａ４ノート、野球ボール、缶入り飲料等である。出品者は画像配信装置２の管理者から基準物となる物品の情報を得ることができる。管理者がＷＥＢサイト上に公開すれば、出品者は簡単に情報を得ることができる。
【００２６】
図４は、画像情報６の画像例４０を示す図である。商品の画像は上着画像４１であり、基準物の画像はたばこ画像４２と缶入り飲料画像４３である。基準物は１個であってもよいし、複数であってもよい。出品者は基準物の一つであるたばこや缶入り飲料を商品の写真を撮影する時に隅に入るように撮影する。
【００２７】
基準物認識手段２６は、基準物情報記憶手段２９に登録された基準物の画像データ２９ａと取得した画像情報６のマッチングを取り、基準物の画像を認識する。画像認識の方法は公知の例が種々ありここでは説明を省略する。
【００２８】
寸法情報計算手段２７は、画像情報６の中の商品の画像と基準物の画像を比較し基準物の実際の寸法情報によって商品の実際の寸法情報を計算する。寸法情報計算手段２７は、認識された基準物の実際の寸法を実寸法データ２９ｂから抽出する。その後寸法情報計算手段２７は、画像情報の中の商品の画像と基準物の画像を比較して、基準物と商品の寸法の比率を計算し、商品の寸法を算出する。例えば図４において、Ａ、Ｂを算出する。
【００２９】
色情報計算手段２８は、画像情報６の中の基準物の色情報と基準物の実際の色情報を比較しその変化量から商品の実際の色情報を計算する。色情報計算手段２８が、基準物の実際の色情報を色データ２９ｃから抽出する。色情報計算手段２８は、基準物の画像の色情報と基準物情報記憶手段２９に登録された基準物の実際の色データ２９ｃとを比較して、その変化量を計算する。求められた変化量と商品の画像の色情報とから商品の実際の色情報を計算する。色データ２９ｃあるいは色情報はＲＧＢ規格またはＳＲＧＢ規格等によって表示される。
【００３０】
商品情報記憶手段３０は、寸法情報計算手段２７によって算出された商品の実際の寸法情報と色情報計算手段２８によって算出された商品の実際の色情報とを保存する。商品情報記憶手段３０によって、それらの情報はフラッシュメモリ１３とＨＤＤ２１の２箇所に保存される。所定の時間が経過した場合には、フラッシュメモリ１３に記録したデータは消去される。
【００３１】
表示特性情報取得手段３１は、ネットワークを介して接続された入札希望者の端末（画像表示装置４）から、画像表示装置４の表示装置の表示特性情報８を取得する。表示装置の表示特性情報８とは、画面の大きさ（例えば縦横の長さあるいは対角線のインチ数）、解像度（縦横のドット数、縦方向dot／inch、横方向dot／inch）、表示パネルメーカ、工場出荷時のカラープロファイル（ばらつき補正）等である。表示特性情報８は一旦ＲＡＭ１３に保存される。
【００３２】
また、上記した情報の代わりに画像表示装置４の型式または機種名称であってもよい。表示特性記憶手段３２には、画像表示装置について各メーカ、各機種の表示特性に関する情報が記憶されており、画像表示装置４の型式または機種名称から表示特性情報８を抽出し、表示特性情報取得手段３１に通知する。また、製造番号等を加えることによって表示特性情報８を更に厳密に特定することが可能となる。表示特性記憶手段３２のデータは所定期間毎に更新される。
【００３３】
寸法変換手段３３は、表示特性情報８に基づいて寸法換算値を算出し、該寸法換算値によって商品の画像を表示装置に表示させたとき商品の画像が略実際の寸法で表示されるように画像を変換する。寸法変換手段３３は、商品の画像を表示装置にドットバイドット表示させたときに、画像が略実際の寸法で表示されるように画像を変換する。ドットバイドット表示とは、表示装置に画像などを表示する際の表示モードの一つで、画像情報の１ピクセルを、表示装置の１ドットに対応させる方式である。
【００３４】
寸法変換手段３３は、表示特性情報８に基づいて表示装置の１ドットの寸法を算出してこれを寸法換算値とする。例えば、画面の大きさが４２型のテレビジョンである場合には、画面寸法は、一般的には横９３０ｍｍ、縦５２３ｍｍであり、画素数が横１９２０ドット、縦１０８０ドットの場合には画素ピッチ（１ドットの寸法）は０．４８４ｍｍ角である。例えば図４で示した上着４１のＡの寸法について、商品情報記憶手段３０に実際の寸法が１００ｃｍと記録されている場合には、２０６６ドットになる。寸法変換手段３３は、上着４１のＡの長さが２０６６ピクセルとなるように画像を変換する。
【００３５】
色変換手段３４は、表示特性情報８に基づいて色補正値を算出し、該色補正値によって前記商品の画像を前記表示装置に表示させたとき前記商品の画像が略実際の色で表示されるように画像を変換する。表示特性情報８による表示装置のカラープロファイル（ばらつき補正）等を参照して、例えばＲＧＢデータによる色補正値を計算する。そして商品情報記憶手段３０に記憶されている商品の実際の色情報に対して、色補正値によって表示装置に表示させたとき商品の画像が略実際の色で表示されるように画像を変換する。
【００３６】
送受信手段２４は、寸法変換手段３３と色変換手段３４よって変換された商品の画像情報７を画像表示装置４へ送信する。
【００３７】
図５は、画像配信装置２が画像情報６を取得してから商品の実際の大きさを算出して保存するまでの動作のフローチャートである。Ｓ１０において、画像取得手段２５は、送受信手段２４で受信した商品の画像を含む画像情報６を取得する。Ｓ１１において、基準物の画像を認識するために、基準物情報記憶手段２９に登録された基準物の画像データ２９ａと取得した画像情報６のマッチングを取る。
【００３８】
Ｓ１２において、基準物認識手段２６が、基準物の画像を認識したならば、Ｓ１３へ移る。基準物の画像を認識しなかったならば、Ｓ１４へ移って、画像取得手段２５が、出品者へ画像の再作成要求の依頼を行い、終了する。Ｓ１３において、画像取得手段２５が、出費者へ画像入力が完了したことを報告する。
【００３９】
Ｓ１５において、寸法情報計算手段２７は、認識された基準物の実際の寸法を実寸法データ２９ｂから抽出する。Ｓ１６において、寸法情報計算手段２７は、画像情報６の中の商品の画像と基準物の画像を比較して、基準物と商品の寸法の比率を計算し、商品の寸法を算出する。
【００４０】
Ｓ１７において、色情報計算手段２８が、基準物の実際の色情報を色データ２９ｃから抽出する。Ｓ１８において、色情報計算手段２８は、基準物情報記憶手段２９に登録された画像情報６の中の基準物の画像の色情報と基準物の実際の色データ２９ｃとを比較して、基準物の画像と実際の色データの変化量を計算する。その変化量と商品の画像の色データとから商品の実際の色データを計算する。
【００４１】
Ｓ１８において、商品情報記憶手段３０は、寸法情報計算手段２７によって算出された商品の実際の寸法情報と色情報計算手段２８によって算出された商品の実際の色情報とを保存し、終了する。
【００４２】
図６は、画像表示装置４の実施例の構成を示すブロック図である。画像表示装置４は、放送局５０から放送されるデジタル放送を受信する機能を有し、また送受信部６７を介してインターネット５に接続され、ネットワーク上にある画像配信装置２から情報を受信する機能を有する。
【００４３】
アンテナ５１は、放送局５０から送信された放送電波を受信するための地上デジタル放送あるいは衛星デジタル放送用のアンテナである。チューナ５３は、地上デジタル放送あるいは衛星デジタル放送の放送信号の中から所望のチャンネルの放送信号を選局する。復調器５４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、デジタルの映像信号及び音声信号に復調され、信号処理部５５に出力される。
【００４４】
信号処理部５５は、復調器５４から供給されたデジタルの映像信号及び音声信号を選択的に所定のデジタル信号処理を施して、映像処理部５６および音声処理部５７へ出力する。信号処理部５５は、ＭＰＥＧ（Moving Picture Experts Group）エンコーダ、ＭＰＥＧデコーダ、映像音声デコーダ等の機能を有する。
【００４５】
映像処理部５６は、信号処理部５５から入力されたデジタルの映像データを、表示装置５８で表示可能なフォーマットに変換したり、表示色を任意に調整したりして、表示装置５８に出力して映像を表示させる。音声処理部５７は、信号処理部５５から入力されたデジタルの音声データを、スピーカ５９で再生可能なアナログ音声信号に変換した後、スピーカ５９に出力して音声を再生させる。
【００４６】
画像表示装置４は、上記した受信動作を含むその全ての動作をＣＰＵ（Central Processing Unit）６１によって統括的に制御されている。復調器５４、信号処理部５５、映像処理部５６、音声処理部５７は、データバス６０を介してＣＰＵ６１に接続されている。
【００４７】
ＲＡＭ（Random Access Memory）６２は、ＣＰＵ６１のデータ処理に必要な各種データを格納するリード／ライトメモリであり、映像データ等を格納するバッファメモリとして動作する。ＲＯＭ（Read Only Memory）６３は読出し専用メモリであり、ＣＰＵ６１が実行する制御のプログラムなどを格納している。
【００４８】
フラッシュメモリ６４は、書き換え可能であり、電源を切ってもデータが消えない不揮発性の半導体メモリである。フラッシュメモリ６４は、画像表示装置４が、インターネット上の画像配信装置２から取得した商品の画像を記憶する。フラッシュメモリ６４は、表示装置５８の表示特性情報８を記憶する表示特性記憶手段６４ａの機能を有する。表示装置５８の表示特性情報８とは、画面の大きさ（例えば対角線のインチ数）、解像度（縦横のピクセル数、縦方向pixel／inch、横方向pixel／inch）、表示パネルメーカ、工場出荷時のカラープロファイル（ばらつき補正）等である。またフラッシュメモリ６４は、画像表示装置４の型式、機種名称等を記憶する。
【００４９】
操作受信部６５は、操作部６６から送信される操作信号を受信し、ＣＰＵ６１に転送する。操作部６６は、例えば、赤外線による無線通信を利用したリモコン、有線式あるいは無線式マウス、キーボード等であり、操作信号を送出する。操作受信部６５は、そのリモコン、マウス、キーボード等から操作信号を受信する。
【００５０】
画像表示装置４は、送受信部６７を介してインターネット５に接続されている。これにより、画像表示装置４は、ネットワーク上にある画像配信装置２等の機器と送受信部６７を介して情報伝送を行なうことができる。
【００５１】
ＣＰＵ６１は、画像要求手段６１ａと画像取得手段６１ｂの機能を有する。画像要求手段６１ａは、インターネット上の画像配信装置２と通信し、画像配信装置２に商品の画像情報７を要求する。画像要求手段６１ａは、画像配信装置２に商品の画像を要求する際、表示特性情報８を画像配信装置２に送信する。画像取得手段６１ｂは、画像配信装置２から画像情報７を取得し、取得した画像情報７を一旦ＲＡＭ６２に取り込む。
【００５２】
画像情報７の商品の画像は、ドットバイドット表示、即ち画像の１ピクセルを表示装置の画面の１ドットに対応させて表示させたとき商品が略実際の寸法で表示される。例えば、画像表示装置４が５２型のテレビジョンである場合には、画面寸法は、一般的には横１１５２ｍｍ、縦６４８ｍｍであり、画素数が横１９２０ドット、縦１０８０ドットの場合には画素ピッチ（１ドットの大きさ）は０．６ｍｍ角である。例えば図４で示した上着４１のＡの寸法について、商品の実際の寸法が１００ｃｍと記録されている場合には、１６６７ドットに相当する。以上のようにして画像情報７の商品の画像は、Ａの寸法、即ち１００ｃｍが１６６７ピクセルで表示される。また、例えば図４で示した上着４１のＢの寸法について、商品の実際の寸法が５０ｃｍと記録されている場合には、８３３ピクセルで表示される。
【００５３】
図７は、画像表示装置４と画像配信装置２との間の動作のフローチャートである。Ｓ２０において、画像表示装置４の画像要求手段６１ａは、表示装置５８の表示特性情報８を表示特性記憶手段６４ａから抽出する。また画像表示装置４の型式、機種名称等も同時に抽出する。
【００５４】
Ｓ２１において、画像要求手段６１ａは、表示特性情報８を含んだ商品画像７の取得要求を生成する。Ｓ２２において、画像要求手段６１ａは、取得要求を画像配信装置２へ送信する。
【００５５】
Ｓ２３において、画像配信装置２は取得要求を受信する。Ｓ２４において、寸法変換手段３３および色変換手段３４は、表示特性情報８から、表示装置５８に合わせた画像を生成するためのパラメータ（寸法換算値、色補正値）を計算する。Ｓ２５において、寸法変換手段３３は、寸法換算値によって商品の画像を表示装置５８に表示させたとき商品の画像が略実際の寸法で表示されるように画像を変換する。また、色変換手段３４は、色補正値によって前記商品の画像を表示装置５８に表示させたとき前記商品の画像が略実際の色で表示されるように画像を変換する。なお、画像表示装置４が画像拡大縮小機能を有する場合には、画像表示装置４が表示装置５８において実寸表示するための拡大縮小率の情報を付加して画像情報７を送信する。また、画像表示装置４が、表示装置５８のカラープロファイルを変更できる機能を有する場合には、表示装置５８で実際の色を再現するためのカラープロファイル情報を付加して画像表示装置４へ送信する。
【００５６】
Ｓ２６において、画像配信装置２の送受信手段２４は、寸法変換手段３３と色変換手段３４よって変換された商品の画像情報７を画像表示装置４へ送信する。Ｓ２７において画像表示装置４の画像取得手段６１ｂは、画像配信装置２から商品の画像情報７を取得する。Ｓ２８において、画像表示装置４は表示装置５８に画像を表示する。なお、画像表示装置４が画像拡大縮小機能を有する場合には、付加情報として送信された拡大縮小率の情報の情報に基づいて画像表示装置４が画像を変換して実際の寸法で表示してもよい。
【００５７】
図８は、画像表示装置４と画像配信装置２との間の通信内容の例を示す図である。ＨＴＴＰ（HyperText Transfer Protocol）はリクエスト-レスポンス型のプロトコルであり、画像表示装置４から画像配信装置２に対して、まずリクエストが送信される。リクエストの「GET」メソッドの後はヘッダであり、この例では画像表示装置４の情報を表す「User-Agent」が置かれ、表示装置５８の表示特性情報が記載されている。表示特性情報の内容の例として、型番（５２ＺＨ７００）、製造番号（ＳＮ１２３４５６７８９０）、カラープロファイルＩＤ（０ｘ５Ａ５Ａ）、画像表示装置４に最適化された画像情報の形式で要求することなどが含まれている。
【００５８】
画像配信装置２の「GET」メソッドに対するレスポンスにはヘッダ情報のあとに改行が挟まれ、コンテンツ（画像表示装置４に最適化された画像情報）が送られる。
【００５９】
以上のように、画像配信装置２は、画像情報取得手段２５によってネットワークを介して接続された第１の端末（出品者端末３）から商品の画像を含む画像情報６を取得し、基準物認識手段２６によって画像情報６の中から商品とは別の基準物の画像を認識し、寸法情報計算手段２７によって画像情報６の中の商品の画像と基準物の画像を比較し基準物の実際の寸法情報によって商品の実際の寸法情報を計算し、また、色情報計算手段２８によって画像情報６の中の商品の画像と基準物の画像を比較し基準物の実際の色情報によって商品の実際の色情報を計算し、商品情報記憶手段３０によって商品の実際の寸法情報と商品の実際の色情報を記憶する。
【００６０】
また、画像配信装置２は、表示特性情報取得手段３１によって、ネットワークを介して接続された第２の端末（画像表示装置４）から画像表示装置４の表示装置５８の表示特性情報８を取得し、寸法変換手段３３によって表示特性情報８に基づいて商品の画像を表示装置５８に表示させたとき商品の画像が略実際の寸法で表示されるように画像を変換し、色変換手段３４によって表示特性情報８に基づいて商品の画像を表示装置５８に表示させたとき商品の画像が略実際の色で表示されるように画像を変換し、送受信手段２４によって商品の画像情報７を画像表示装置４へ送信する。
【００６１】
また、画像表示装置４は、表示特性記憶手段６４ａによって表示装置５８の表示特性情報８を記憶し、画像要求手段６１ａによってネットワークを介して接続された画像配信装置２に商品の画像を要求する際、表示特性情報８を画像配信装置２に送信し、画像取得手段６１ｂによって画像配信装置２から商品の画像情報７を取得する。画像情報７は、表示装置５８に画像をドットバイドットで表示させたとき商品が略実際の寸法で表示され、また商品が略実際の色で表示される。
【００６２】
このようにすることによって、入札希望者あるいは閲覧希望者の表示装置５８に表示される商品の寸法が商品の実際の寸法と略等しくなるようにでき、また、表示装置５８に表示される商品の色が商品の実際の色と略等しくなるようにすることができる。また、出品者が簡単な方法で画像情報６を作成し提供できる。
【００６３】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６４】
１  画像配信システム
２  画像配信装置
３  第１の端末
４  第２の端末
５  インターネット
６  画像情報
７  画像情報
８  表示特性情報
１０  ＣＰＵ
１１  ＲＡＭ
１２  ＲＯＭ
１３  フラッシュメモリ
１４  送受信制御部
２４  送受信手段
２５  画像情報取得手段
２６  基準物認識手段
２７  寸法情報計算手段
２８  色情報計算手段
２９  基準物情報記憶手段
３０  商品情報記憶手段
３１  表示特性情報取得手段
３２  表示特性記憶手段
３３  寸法変換手段
３４  色変換手段
４０  画像例
５６  映像処理部
５８  表示装置
６１  ＣＰＵ
６１ａ  画像要求手段
６１ｂ  画像取得手段
６２  ＲＡＭ
６３  ＲＯＭ
６４  フラッシュメモリ
６４ａ  表示特性記憶手段
６７  送受信部
【図１】
2010239582.tif 000003
【図２】
2010239582.tif 000004
【図３】
2010239582.tif 000005
【図４】
2010239582.tif 000006
【図５】
2010239582.tif 000007
【図６】
2010239582.tif 000008
【図７】
2010239582.tif 000009
【図８】
2010239582.tif 000010